(57)【特許請求の範囲】
【請求項１】
水上でバケットにより移送物を移送する際に、船の縁部または陸地の水辺に面した縁部に設置され、表面板を備えた移送物の落下防止装置であって、前記表面板を分割して、この分割した表面板をヒンジ部材を中心に回動させて折り畳み可能にし、この落下防止装置を前記縁部に設置した時に、前記分割した表面板をヒンジ部材によって、設置場所の縁部側に折り畳んで収容可能に構成し、分割した表面板を設置場所の縁部よりも外側に突出させた際に、表面板がこの設置場所の縁部の外側下方に所定の角度以上傾斜することを防止するストッパを設けたことを特徴とする移送物の落下防止装置。
【請求項２】
前記分割した表面板を設置場所の縁部よりも外側に突出させた際に表面板の上方側となる位置の幅方向両端部に、側板を立設した請求項１に記載の移送物の落下防止装置。
【請求項３】
前記側板を、表面板に対して幅方向両側に開くように９０°超１３５°以下の幅方向取付け角度で立設した請求項２に記載の移送物の落下防止装置。
【請求項４】
前記側板を、表面板に対して外側突出方向に狭くなるように０°超４５°以下の突出方向取付け角度で立設した請求項２または３に記載の移送物の落下防止装置。
【請求項５】
前記分割した表面板を設置場所の縁部よりも外側に突出させた際に表面板の突出方向先端部となる位置に、紐状体を接続した請求項１〜４のいずれかに記載の移送物の落下防止装置。
【発明の詳細な説明】
【技術分野】
【０００１】
本発明は、水上でバケットにより浚渫土砂等の移送物を移送する際に、移送物を水上に落下させないように船の縁部または陸地の水辺に面した縁部に設置される移送物の落下防止装置に関するものである。
【背景技術】
【０００２】
海、河川等の水底の土砂を浚渫する際に、浚渫対象領域を汚濁防止幕によって囲み、この汚濁防止幕で囲んだ領域をバケットで浚渫する方法が知られている（例えば、特許文献１、２参照）。バケットで浚渫された土砂は、水上に引き揚げられて、浚渫対象領域に隣接して配置した運搬船の泥倉に積載された後、所定の処理現場に移送される。
【０００３】
この方法では、浚渫作業によって生じる水中の汚濁が汚濁防止幕で遮断されるので、周辺外部に汚濁を拡散させることなく浚渫作業を行なうことができる。しかしながら、浚渫土砂をバケットで水上に引き揚げてから運搬船の泥倉に積載する際に、バケット内の浚渫土砂が少なからずバケットから零れ落ちる。そのため、零れ落ちた浚渫土砂が汚濁防止幕で囲んだ領域外の水上に落下すると、落下した浚渫土砂が汚濁を生じさせて周辺外部に拡散するので、汚濁の拡散防止対策としては更なる改善が必要であった。
【０００４】
ここで、運搬船の舷側の縁部に外側に突出した表面板を設置して、この縁部の外側下方に傾斜させるようにすることも考えられる。これによれば、運搬船の泥倉に積載する際にバケットから零れ落ちる浚渫土砂を、傾斜した表面板に沿って汚濁防止幕で囲んだ領域内に落下させることができるので、周辺外部への汚濁の拡散を防止することが可能になる。
【０００５】
しかしながら、このような表面板はバケットから零れ落ちる浚渫土砂を汚濁防止幕で囲まれた領域内に落下させるために、ある程度、設置場所の縁部からの突出長さを確保しなければならないので、そのままの状態では運搬船が接岸する際に邪魔になる。そのため、運搬船の接岸の度に表面板の取り外し作業が必要になるという新たな問題が生じる。また、浚渫土砂の積載量によって運搬船の喫水が変化し、また波等によって運搬船が上下動する。このような運搬船の上下動があると、表面板が汚濁防止幕の上端部に固定されたフロートに干渉して、表面板やフロート等の周辺設備が損傷するという新たな問題が生じるため、実用化には適していなかった。
【０００６】
このような、水上でのバケットによる浚渫土砂や石等の移送物の移送は、船と船との間、或いは、船と陸地との間で行なわれることもある。これらの場合にも、上記と同様の問題が生じることになる。
【特許文献１】特開２００２−２７５９３２号公報
【特許文献２】特開２００４−６８２６８号公報
【発明の開示】
【発明が解決しようとする課題】
【０００７】
本発明の目的は、水上でバケットにより浚渫土砂等の移送物を移送する際に、移送物を水上に落下させないように船の縁部または陸地の水辺に面した縁部に設置されるが、船が接岸する際に邪魔になることがなく、かつ船の上下動に対応して周辺設備等を損傷させないようにした移送物の落下防止装置を提供することにある。
【課題を解決するための手段】
【０００８】
上記目的を達成するため本発明の移送物の落下防止装置は、水上でバケットにより移送物を移送する際に、船の縁部または陸地の水辺に面した縁部に設置され、表面板を備えた移送物の落下防止装置であって、前記表面板を分割して、この分割した表面板をヒンジ部材を中心に回動させて折り畳み可能にし、この落下防止装置を前記縁部に設置した時に、前記分割した表面板をヒンジ部材によって、設置場所の縁部側に折り畳んで収容可能に構成し、分割した表面板を設置場所の縁部よりも外側に突出させた際に、表面板がこの設置場所の縁部の外側下方に所定の角度以上傾斜することを防止するストッパを設けたことを特徴とするものである。
【０００９】
ここで、前記分割した表面板を設置場所の縁部よりも外側に突出させた際に表面板の上方側となる位置の幅方向両端部に、側板を立設することもできる。この際に、前記側板を、表面板に対して幅方向両側に開くように９０°超１３５°以下の幅方向取付け角度で立設することもできる。また、前記側板を、表面板に対して外側突出方向に狭くなるように０°超４５°以下の突出方向取付け角度で立設することもできる。前記分割した表面板を設置場所の縁部よりも外側に突出させた際に表面板の突出方向先端部となる位置に、紐状体を接続することもできる。
【発明の効果】
【００１０】
本発明の移送物の落下防止装置によれば、水上でバケットにより移送物を移送する際に、船の縁部または陸地の水辺に面した縁部に設置され、表面板を備えた移送物の落下防止装置であって、前記表面板を分割して、この分割した表面板をヒンジ部材を中心に回動させて折り畳み可能にし、この落下防止装置を前記縁部に設置した時に、前記分割した表面板をヒンジ部材によって、設置場所の縁部側に折り畳んで収容可能に構成したので、船が接岸する際は、表面板を設置場所の縁部側に折り畳むことにより、この縁部の外側への突出長さが小さく、或いは突出がなくなり、接岸の邪魔になることがなくなる。
【００１１】
また、分割した表面板を設置場所の縁部よりも外側に突出させた際に、表面板がこの設置場所の縁部の外側下方に所定の角度以上傾斜することを防止するストッパを設けたので、所定の傾斜角度を維持した状態でバケットから零れ落ちる移送物を、表面板に沿って所定領域内に落下させることができる。したがって、この所定領域を周辺外部と区分した囲まれた領域にしておけば、落下した移送物によって生じる周辺外部への汚濁の拡散を防止することが可能になる。
【００１２】
また、船が上下動して表面板が、他の船や周辺設備に干渉した場合には、表面板はヒンジ部材を中心として上方側（設置場所の縁部側）に回動するようになる。このように、表面板を船の上下動に対応できる構成にしたので、表面板、船や周辺設備が損傷することを防止できる。
【発明を実施するための最良の形態】
【００１３】
本発明の移送物の落下防止装置を、浚渫土砂を運搬船に移送する場合を例にした実施形態に基づいて説明する。
【００１４】
図１〜４に例示するように、本発明の移送物の落下防止装置１（以下、落下防止装置１という）は、三角柱状に形成された上側枠体２と下側枠体３とを有し、上側枠体２と下側枠体３には、それぞれ上側表面板４、下側表面板５が固定ボルト９ａによって固定されている。上側表面板４および下側表面板５としては、例えば、合板等が用いられる。上側枠体２の底面部には、固定ボルト等の固定手段９が設けられており、この固定手段９によって落下防止装置１は、運搬船１６（土運船、台船等）の舷側の縁部に対して着脱可能に固定される。
【００１５】
上側枠体２と下側枠体３とはヒンジ部材６によって連結され、上側表面板４と下側表面板５とはヒンジ部材６を中心に回動して折り畳んだ際に、図１に例示するように互いが対向して当接するようになっている。一方、下側枠体３をヒンジ部材６を中心に回動させて下側表面板５を、落下防止装置１の設置場所の縁部よりも外側に突出させると、図３に例示するように上側表面板４および下側表面板５が、その縁部の外側下方に傾斜した状態になる。
【００１６】
この際に、下側枠体３の一辺が舷側に当接することにより、下側表面板５が設置場所の縁部の外側下方に所定の角度Ｄ以上傾斜することを防止する。即ち、ここでは下側枠体３が、下側表面板５に対して所定の角度Ｄ以上の傾斜を防止するストッパとして機能する。この所定の角度Ｄは、例えば、略４５°を中心にして３０°〜６０°の範囲に設定する。
【００１７】
下側表面板５には、落下防止装置１の設置場所の縁部よりも外側に突出させた際に突出方向先端部となる位置に、係止部３ａを介して、ロープやワイヤ等の紐状体８の一端部が接続されている。この紐状体８は、下側表面板５を設置場所の縁部側に折り畳む際に使用される。
【００１８】
このように、落下防止装置１は、設置場所の縁部に対する突出方向に分割された上側表面板４と下側表面板５とを有し、ヒンジ部材６によって、設置場所の縁部よりも外側下方に突出する下側表面板５を、その縁部側には回動させるが、縁部の外側下方側（反縁部側）には所定の角度Ｄ以上回動させない構造になっている。この実施形態では、表面板を上側表面板４と下側表面板５との二分割にしているが、三分割以上にした表面板を、ヒンジ部材６によって設置場所の縁部側に折り畳んで収容可能に構成してもよい。
【００１９】
次に、落下防止装置１の使用方法について説明する。
【００２０】
浚渫作業は、図６に例示するように、浚渫対象領域を汚濁防止幕１５で囲み、浚渫作業によって生じる水中の汚濁を汚濁防止幕１５の周辺外部に拡散させないようにする。汚濁防止幕１５の上端部にはフロート１４が固定されている。このフロート１４に隣接するように、作業船１１および運搬船１６が配置される。
【００２１】
そして、汚濁防止幕１５で囲んだ領域の土砂を、作業船１１のクレーン１２を操作してグラブバケット１３によって浚渫する。グラブバケット１３で浚渫された土砂は、水上に引き揚げられ、汚濁防止幕１５で囲んだ領域内から領域外に移送されて運搬船１６の泥倉１７に積載される。
【００２２】
そこで、まず、図１、２に例示するように、運搬船１６の舷側の縁部に上側枠体２を固定手段９により所定位置に固定する。この際に、落下防止装置１（下側枠体３）を、設置場所の縁部よりも外側に突出させないようにする、或いは突出量を極力小さくすることが好ましい。
【００２３】
次いで、浚渫作業を行なう際に、図３、４に例示するように下側表面板５を設置場所の縁部よりも外側に突出させて、上側表面板４および下側表面板５を、その縁部の外側下方に傾斜した状態にする。ここでは、例えば、上側表面板４および下側表面板５が約４５°の角度Ｄで設置される。このようにして下側表面板５の突出方向先端を、汚濁防止幕１５で囲んだ領域の上方位置、例えば、フロート１４の内周縁よりも内側に位置させる。紐状体８の他端部は運搬船１６の縁部側で保持しておく。
【００２４】
次いで、図５、６に例示するように、汚濁防止幕１５で囲んだ領域をグラブバケット１３によって浚渫し、グラブバケット１３を落下防止装置１の上方を移動させるようにして浚渫土砂を運搬船１６の泥倉１７に積載する。浚渫土砂を泥倉１７に積載した後は、グラブバケット１３を落下防止装置１の上方を移動させるようにして汚濁防止幕１５で囲んだ領域に戻す。このようにして、グラブバケット１３を落下防止装置１の上方を移動させて浚渫作業を行なう。
【００２５】
この際にグラブバケット１３の内部の浚渫土砂Ｓが、上側表面板４および下側表面板５の上に零れ落ちるが、上側表面板４は上側枠体２により所定の角度Ｄの傾斜に固定され、下側表面板５は、下側枠体３によって設置場所の縁部の外側下方に所定の角度Ｄ以上傾斜することがない。したがって、グラブバケット１３から零れ落ちた浚渫土砂Ｓは、上側表面板４および下側表面板５に沿って汚濁防止幕１５で囲んだ領域内に落下することになる。これによりグラブバケット１３から零れ落ちた浚渫土砂Ｓによる周辺外部への汚濁の拡散を防止することが可能になる。
【００２６】
尚、上側表面板４および下側表面板５は、汚れ具合や損傷具合等に応じて新しいものに取り替える。この取り替えは、固定ボルト９ａにより容易に行なうことができる。
【００２７】
運搬船１６は、浚渫土砂の積載量によって喫水が変化し、また波等によって上下動する。このように運搬船１６が上下動して下側表面板５（下側枠体３）がフロート１４に干渉した場合には、下側表面板５（下側枠体３）はヒンジ部材６を中心として、設置場所の縁部側に回動することができる。このように、下側表面板５（下側枠体３）を運搬船１６の上下動に対応できる構成にしたので、下側表面板５、下側枠体３やフロート１４等の周辺設備の損傷を防止することが可能になる。
【００２８】
また、運搬船１６を接岸させる際には、紐状体８の他端部を運搬船１６上から引張ることによって、図１、２に例示するように、下側表面板５を設置場所の縁部側に回動させて折り畳んで収容した状態にする。これにより、下側表面板５の設置場所の縁部外側への突出長さが小さく、或いは突出がなくなり、接岸の邪魔になることがなくなる。したがって、運搬船１６を接岸させる度に、落下防止装置１を取り外す必要がなくなる。
【００２９】
下側枠体３は、図７に例示するように平面状に形成してもよく、この場合には、平面状の下側枠体３からストッパ７を突設する。このストッパ７が、下側表面板５を設置場所の縁部よりも外側に突出させた際に、運搬船１６の舷側に当接して、下側表面板５がその縁部の外側下方に所定の角度Ｄ以上傾斜することを防止する。また、下側表面板５を設置場所の縁部よりも外側に突出させた際に、紐状体８の他端部を運搬船１６の縁部側に固定して紐状体８を緊張した状態にすることにより、上記ストッパ７として機能させることもできる。
【００３０】
上側表面板４の幅方向両端部には、図８、９に例示するように側板１０ａを立設することもできる。この側板１０ａは、上側表面板４に対して幅方向両側に開くように９０°超１３５°以下の幅方向取付け角度Ｓ１で立設すると、グラブバケット１３から零れ落ちた浚渫土砂Ｓを、上側表面板４および下側表面板５の上に集め易くなる。この幅方向取付け角度Ｓ１は、９０°にしてもよい。
【００３１】
また、上側表面板４の幅方向両端部には、図１０、１１に例示するように上側表面板４に三角形状の幅方向に突出した部分４ａを設けて、側板１０ｂを立設することもできる。この側板１０ｂは、上側表面板４に対して外側突出方向に狭くなるように０°超４５°以下の突出方向取付け角度Ｓ２で立設すると、上側表面板４および下側表面板５の上に集めた浚渫土砂Ｓを、散乱させることなく汚濁防止幕１５で囲んだ領域内に落下させ易くなる。この突出方向取付け角度Ｓ２は、０°にしてもよい。
【００３２】
また、図８、９に例示した９０°超１３５°以下の幅方向取付け角度Ｓ１を有する側板１０ａを、図１０、１１に例示したように、０°超４５°以下の突出方向取付け角度Ｓ２で上側表面板４に立設することもできる。
【００３３】
実施形態では、グラブバケット１３による浚渫を例にして説明したが、バックホウのバケットによる浚渫についても本発明を適用することができる。バケットで移送される移送物としては、浚渫土砂Ｓの他に、石、砂利、各種粉状体、粒状体等を例示できる。
【００３４】
本発明の落下防止装置１は、船と船との間、或いは、船と陸地との間で、バケットによる移送物の移送を行なう際にも用いることができる。いわゆる瀬取り投入のように、船と船との間で移送物の移送を行なう際には、一方の船（上下位置の高い方の船）の縁部に落下防止装置１を設置する。これにより、バケットから零れ落ちる移送物を他方の船の内部に落下させて、水上への落下を防ぎ、周辺外部への汚濁の拡散を防止することができる。落下防止装置１を設置した船が接岸する際には、上述したように下側表面板５を設置場所の縁部側に回動させて収容することにより、邪魔になることがない。また、下側表面板５は、他方の船が干渉した場合にも設置場所の縁部側に回動するので、下側表面板５や船等の損傷を防止することができる。
【００３５】
船と陸地（岸壁など）との間で移送物の移送を行なう際には、両者のうち、上下位置の高い方に落下防止装置１を設置する。例えば、船よりも陸地の上下位置が高い場合は、陸地の水辺に面した縁部に落下防止装置１を設置することにより、バケットから零れ落ちる移送物を、船の内部に落下させることができる。また、陸地よりも船の上下位置が高い場合は、船の縁部に落下防止装置１を設置することにより、バケットから零れ落ちる移送物を、陸地上に落下させることができる。このようにして、移送物の水上への落下を防いで、周辺外部への汚濁の拡散を防止することができる。船が接岸する際に落下防止装置１が邪魔にならない点、表面板、船や周辺設備が損傷することを防止できる点は、上述のとおりである。
【図面の簡単な説明】
【００３６】
【図１】本発明の落下防止装置の下側表面板を折り畳んだ状態を例示する側面図である。
【図２】図１の正面図である。
【図３】図１の下側表面板を開いた状態を例示する側面図である。
【図４】図３の正面図である。
【図５】浚渫作業の状態を例示する側面図である。
【図６】浚渫作業の状態を例示する平面図である。
【図７】本発明の別の落下防止装置を例示する側面図である。
【図８】本発明の別の落下防止装置を例示する正面図である。
【図９】図８のＡ−Ａ断面図である。
【図１０】図８の側板の変形例を示す落下防止装置の正面図である。
【図１１】図１０のＢ−Ｂ断面図である。
【符号の説明】
【００３７】
１  落下防止装置
２  上側枠体
３  下側枠体
３ａ  係止部
４、４ａ  上側表面板
５  下側表面板
６  ヒンジ部材
７  ストッパ
８  紐状体
９  固定部材
９ａ  固定ボルト
１０ａ、１０ｂ  側板
１１  作業船
１２  クレーン
１３  グラブバケット
１４  フロート
１５  汚濁防止幕
１６  運搬船
１７  泥倉
【図１】
0004917530.tif 000002
【図２】
0004917530.tif 000003
【図３】
0004917530.tif 000004
【図４】
0004917530.tif 000005
【図５】
0004917530.tif 000006
【図６】
0004917530.tif 000007
【図７】
0004917530.tif 000008
【図８】
0004917530.tif 000009
【図９】
0004917530.tif 000010
【図１０】
0004917530.tif 000011
【図１１】
0004917530.tif 000012